(57)【特許請求の範囲】
【請求項１】
穀類中に混在している屑粒を排出する回転選別網筒と、この回転選別網筒の内面に沿わせて被選別穀類を揚上移動させる回転螺旋体とで構成され、回転螺旋体の回転数により選別率を制御する機能を備えてなる穀類選別計量機において、制御盤のパネルに、回転螺旋体の回転数を設定する回転操作器であって操作回転角の始端部を標準的な選別率を自動保持する自動選別率設定部とし、かつ自動選別率設定部を越えた操作回転角の範囲を選別率を手動で設定する手動選別率設定部とした回転操作器からなる選別率設定器を設けたことを特徴とする穀類選別計量機における制御装置。
【請求項２】
選別率設定器を構成する回転操作器は、自動選別率設定部と手動選別率設定部の境界を越えることでいずれかに切り替えられる可変抵抗器であることを特徴とする請求項１記載の穀類選別計量機における制御装置。
【発明の詳細な説明】
【０００１】
【産業上の利用分野】
本発明は、穀類中に混在している屑粒を選別除去し、選別された穀類を予め設定した重量ごとに自動計量する穀類選別計量機における制御装置に関する。
【０００２】
【従来の技術】
選別網筒の内部に回転螺旋体を設けて、被選別穀類を回転螺旋体で揚上移動させながら選別網筒により屑粒を選別排出する穀類選別計量機は、例えば、特開昭６０−２０２７７１号公報に記載されており、また、回転螺旋体の回転数により穀類の選別率を制御するものは、特開平１−２０３０８６号公報に記載されている。
【０００３】
【発明が解決しようとする課題】
この種の穀類選別機おいては、回転螺旋体の回転数を変えることにより、選別される穀類の選別率、すなわち、精粒中の屑粒混合率を調整することができるが、回転螺旋体の回転数に対応する選別率は、一般に二次関数曲線になる関係を有している。このため、回転螺旋体の回転数を設定する回転操作器の設定値を表示器に表示することでは、表示器の表示から選別率を的確に把握できないのが実状である。
【０００４】
そこで、本発明は、このような問題点を解消しようとするものであって、回転螺旋体の回転数を設定する回転操作器であって操作回転角の始端部を標準的な選別率を自動保持する自動選別率設定部とし、かつ自動選別率設定部を越えた操作回転角の範囲を選別率を手動で設定する手動選別率設定部とした回転操作器からなる選別率設定器を設けたことにより、回転操作器の操作回転角から自動選別率設定状態および手動選別率設定時の選別率を的確かつ容易に把握することができる穀類選別機における制御装置を提供することを目的とする。
【０００５】
【課題を解決するための手段】
本発明は、上記目的を達成するための技術的手段として、次のように構成したものである。
【０００６】
すなわち、第１の構成は、穀類中に混在している屑粒を排出する回転選別網筒と、この回転選別網筒の内面に沿わせて被選別穀類を揚上移動させる回転螺旋体とで構成され、回転螺旋体の回転数により選別率を制御する機能を備えてなる穀類選別計量機において、制御盤のパネルに、回転螺旋体の回転数を設定する回転操作器であって操作回転角の始端部を標準的な選別率を自動保持する自動選別率設定部とし、かつ自動選別率設定部を越えた操作回転角の範囲を選別率を手動で設定する手動選別率設定部とした回転操作器からなる選別率設定器を設けたものである。
【０００７】
また、第２の構成は、第１の構成において、選別率設定器を構成する回転操作器は、自動選別率設定部と手動選別率設定部の境界を越えることでいずれかに切り替えられる可変抵抗器としたものである。
【０００８】
【作用】
本発明に係る第１の構成によれば、回転操作器の操作回転角から自動選別率設定状態および手動選別率設定時の選別率を的確かつ容易に把握することができる。
【０００９】
本発明に係る第２の構成によれば、選別率設定器を構成する回転操作器は、自動選別率設定部と手動選別率設定部の境界を越えることでいずれかに切り替えられる可変抵抗器としているので、回転操作器の操作回転角から自動選別率設定状態および手動選別率設定時の選別率を的確かつ容易に把握することができる。
【００１０】
【実施例】
図１および図２には本発明に係る穀類選別計量機が例示されており、図３にはその制御盤の要部が示されている。
【００１１】
穀類選別計量機１は、その外装体２内に、回転選別網筒３とそれに内装された回転螺旋体４とで構成した選別部５を備えており、選別部５の回転螺旋体４は、減速機構を介して電動機により回転駆動されるものである。回転選別網筒３は、減速機構を介して電動機によって回転螺旋体４より低速でかつ逆方向に回転駆動されるようになっており、選別部５における穀類の選別率は、回転選別網筒３および回転螺旋体４の回転数により制御される。なお、選別率は回転螺旋体４の回転数だけで制御することができる。６は穀類供給ホッパ、７は選別穀類の精粒を一時貯留するタンクであり、その送出口８には自動開閉シャッタ９が備えられている。１０は制御盤である。上記送出口８の下方には重量計（図示省略）を配置して、その上にセットした収納袋に送出口８から送出される穀類を収納する。その収納制御は上記制御盤１０によって自動制御されるようになっている。１１は屑粒排出口、１２は残粒排出口である。
【００１２】
図３に詳細な構成を示すように、制御盤１０は、上半部を設定重量、計量重量その他の表示部１３とし、下半部に選別率設定器１４が設けられている。この選別率設定器１４は、回転操作器で構成され、回転操作器の操作回転角の始端部が標準的な選別率を自動保持する自動選別率設定部１５となっており、自動選別率設定部１５を越えた操作回転角の範囲を選別率を手動で設定する手動選別率設定部１６としている。この選別率設定器１４を構成する回転操作器は、自動選別率設定部１５と手動選別率設定部１６との境界を交互に越える毎に切り替わるスイッチを有する可変抵抗器である。回転選別網筒３および回転螺旋体４を回転駆動する電動機の回転数を制御する制御回路はインバータによるものであって、その制御回路は、選別率設定器１４の回転操作によりそのスイッチで切り替えられた動作条件で、自動選別状態または回転操作による抵抗値に対応して定まる回転数となるように電動機が制御される構成をなしている。
【００１３】
１７は選別率表示器であって、選別率表示器１７は、複数の発光素子（例えば、発光ダイオードなど）を一連状に並べて構成されている。図示の実施例では、９個の発光ダイオード（１番〜９番）を設けており、そのうち１番目から６番目までは自動選別率設定時における選別率の変化を表示し、７番目から９番目までは手動選別率設定時の選別率を表示する。図示の実施例では、複数の発光素子を緩やかな弧状をなすように並べているが、これは上下垂直方向または水平方向に直線状、その他任意一連状に並べて構成してもよい。
【００１４】
上記選別率表示器１７の各発光素子間のしきい値ｐ１〜ｐ８は、選別率設定器１４により設定される回転選別網筒３および回転螺旋体４の回転数に対応する選別率が直線的特性で表示される値に設定される。すなわち、自動選別率設定時においては、選別率の変化を１番目から６番目までの発光素子により直線的特性で等間隔に表示され、また、手動選別率設定時においては、選別率設定器１４の手動選別率設定部１６の範囲の回転角によって定まる回転選別網筒３および回転螺旋体４の回転数に対応する選別率が７番目から９番目の発光素子により直線的特性で等間隔に表示されるように、しきい値ｐ１〜ｐ８の値を設定している。
【００１５】
図示の実施例においては、選別率表示器１７の１番目から９番目の発光素子方向に回転数が増加する表示をするようになっており、手動選別率設定は、自動選別率設定時より選別率を低くする設定をするものである。各発光素子間のしきい値ｐ１〜ｐ８は次のように設定している。
【００１６】
ｐ１＝３．４４，ｐ２＝３．７０，ｐ３＝３．９７，ｐ４＝４．１３，ｐ５＝４．４３，ｐ６＝５．００，ｐ７＝６．７５，ｐ８＝８．５０
【００１７】
以上のように、本発明に係る実施例の構成によれば、選別率表示器１７の各発光素子間のしきい値ｐ１〜ｐ８を、選別率設定器１７により設定される回転選別網筒３および回転螺旋体４の回転数に対応する選別率が直線的特性で表示される値に設定しているので、選別率表示器１７には、自動選別時における選別率の変化が１番目から６番目までの発光素子に等間隔で表示され、手動で設定した選別率も７番目から９番目までの発光素子に等間隔で表示される。このため、自動選別設定時および手動選別設定時に何れの状態においても、選別率表示器１７の表示により選別率を的確かつ容易に把握することができる。
【００１８】
【発明の効果】
本発明によれば、回転螺旋体の回転数を設定する回転操作器であって操作回転角の始端部を標準的な選別率を自動保持する自動選別率設定部とし、かつ自動選別率設定部を越えた操作回転角の範囲を選別率を手動で設定する手動選別率設定部とした回転操作器からなる選別率設定器を設けたことにより、回転操作器の操作回転角から自動選別率設定状態および手動選別率設定時の選別率を的確かつ容易に把握することができる効果が得られる。
【図面の簡単な説明】
【図１】  本発明に係る穀類選別計量機の全体斜視図である。
【図２】  図１の要部を示す破断斜視図である。
【図３】  制御盤の要部を示す正面図である。
【符号の説明】
１  穀類選別計量機
２  外装体
３  回転選別網筒
４  回転螺旋体
５  選別部
６  穀類供給ホッパ
７  タンク
８  送出口
９  自動開閉シャッタ
１０  制御盤
１１  屑粒排出口
１２  残粒排出口
１３  表示部
１４  選別率設定器
１５  自動選別率設定部
１６  手動選別率設定部
１７  選別率表示器
【図１】
0003635435.tif 000002
【図２】
0003635435.tif 000003
【図３】
0003635435.tif 000004